(57)【要約】【課題】取付面が広くても、取付孔周りを確実に止水するとともに、浴槽との間に隙間を生じず見栄え良くハンドグリップを取り付けられるハンドグリップを提供する。【解決手段】把持可能な把持部と該両端に位置し浴槽の取付部位に当接する着座面とを有する浴槽用ハンドグリップを、上記浴槽の取付孔にボルトを挿入し、ナットで螺嵌することにより上記浴槽に固定する浴槽用ハンドグリップであって、上記ボルトのボルト頭と上記浴槽の上記取付部位間に挟装され、内部に上記ボルトが貫通する貫通孔が形成されるとともに、外径が上記浴槽の上記取付部位に穿設された上記取付孔より大きい止水用パッキンと、該止水用パッキンとは別体で形成され、内部に前記止水用パッキンが配置されるための開ロが形成され、上記ハンドグリップの上記着座面と上記浴槽の上記取付部位間に、上記止水用パッキンを環囲するように挟装された隙間防止用パッキンとを備える。【選択図】  図５
2009061171.tif 000002
【特許請求の範囲】
【請求項１】
入浴者が把持可能な把持部と該把持部の両端に位置し浴槽の取付部位に当接する着座面とを有する浴槽用ハンドグリップを、上記浴槽の上記取付部位に穿設された取付孔にボルトを挿入し、ナットで螺嵌することにより上記浴槽に固定する浴槽用ハンドグリップの取付構造であって、
上記ボルトのボルト頭と上記浴槽の上記取付部位間に挟装され、内部に上記ボルトが貫通する貫通孔が形成されるとともに、外径が上記浴槽の上記取付部位に穿設された上記取付孔より大きい止水用パッキンと、
該止水用パッキンとは別体で形成され、内部に前記止水用パッキンが配置されるための開ロが形成され、上記ハンドグリップの上記着座面と上記浴槽の上記取付部位間に、上記止水用パッキンを環囲するように挟装された隙間防止用パッキンと、
を備えたことを特徴とする浴槽用ハンドグリップの取付構造。
【請求項２】
前記止水用パッキン及び前記隙間防止用パッキンによって、前記ハンドグリップの前記着座面の略全体がシールされることを特徴とする請求項１記載の浴槽用ハンドグリップの取付構造。
【請求項３】
前記止水用パッキンは、前記隙間防止用パッキンよりも厚肉に形成されていることを特徴とする請求項１記載の浴槽用ハンドグリップの取付構造。
【請求項４】
前記止水用パッキンは、前記隙間防止用パッキンよりも面積が小さく形成されていることを特徴とする請求項１記載の浴槽用ハンドグリップの取付構造。
【請求項５】
前記隙間防止用パッキンは、その硬度が前記止水用パッキンの硬度より低いことを特徴とする請求項１記載の浴槽用ハンドグリップの取付構造。
【発明の詳細な説明】
【技術分野】
【０００１】
本発明は、浴槽用ハンドグリップの取付構造に係り、特に浴槽の取付部位に当接する取付面の広い浴槽用ハンドグリップの取付構造に関する。
【背景技術】
【０００２】
一般住戸の浴室に設置される浴槽には、入浴者が浴槽への出入り時に転倒することを防止するために、入浴者が把持することが可能なハンドグリップが設けられることが多い。このハンドグリップには、浴槽リム上方の壁面に取り付けられるものの外、低い位置にある方が起立時に掴み易いことから、浴槽そのものに取り付けられるタイプがある。
【０００３】
この浴槽に取り付けられるハンドグリップは、多くの場合、浴槽の取付部位に穿設された取付孔にボルトを浴槽内面から挿入し、このボルトを浴槽外面からナットで螺嵌することにより浴槽に固定される。
【０００４】
このとき、ハンドグリップの取付面と浴槽の取付部位との間には、取付孔から水が漏出しないようにその隙間を水密的に塞ぐため、及びハンドグリップと浴槽との隙間を塞ぎ見栄えを良くするため、取付面と略同形状のパッキンが挟装される。
【０００５】
ところで、このハンドグリップは、意匠性を高めるため、及びハンドグリップ非使用時に入浴者の邪魔にならないよう、ハンドグリップの取付部が浴槽の取付部位から垂直に立ち上がるのではなく、もう一方の取付部位に向かって斜め方向に延出する形状が採用されることがある。この場合、ハンドグリップの取付面は、ハンドグリップの取付部が浴槽の取付部位から垂直に立ち上がる場合に比べ広くなる。
【０００６】
このように取付面の広いハンドグリップでは（例えば、特許文献１参照。）、挟装されるパッキンの面積も広くなる。
【０００７】
【特許文献１】特開２００６−２３８９４２号公報
【発明の開示】
【発明が解決しようとする課題】
【０００８】
この場合、パッキンのボルト近傍部分十分に圧縮され、水密性を確保できるが、ボルトから離れた部分では、パッキンの締付けが弱くなっているため、隙間が空いてしまうなど、施工が難しかったり、見栄えや止水性が悪くなったりという問題がある。
【０００９】
そのため、特許文献１に開示された例では、ボルトを二つ利用して一つのパッキンを締め付けているが、構造が複雑になるとともに、二つのボルトを螺合させる手間がかかるなど、施工に時間がかかり好ましくなかった。
【００１０】
本発明は、上述した事情を考慮してなされたもので、取付面が広くても、取付孔周りを確実に止水するとともに、浴槽との間に隙間を生じず見栄え良くハンドグリップを取り付けられるハンドグリップ取付構造を提供することを目的とするものである。
【課題を解決するための手段】
【００１１】
本発明に係るハンドグリップ取付構造は、上述した課題を解決するために、請求項１に記載したように、入浴者が把持可能な把持部と該把持部の両端に位置し浴槽の取付部位に当接する着座面とを有する浴槽用ハンドグリップを、上記浴槽の上記取付部位に穿設された取付孔にボルトを挿入し、ナットで螺嵌することにより上記浴槽に固定する浴槽用ハンドグリップの取付構造であって、上記ボルトのボルト頭と上記浴槽の上記取付部位間に挟装され、内部に上記ボルトが貫通する貫通孔が形成されるとともに、外径が上記浴槽の上記取付部位に穿設された上記取付孔より大きい止水用パッキンと、該止水用パッキンとは別体で形成され、内部に前記止水用パッキンが配置されるための開ロが形成され、上記ハンドグリップの上記着座面と上記浴槽の上記取付部位間に、上記止水用パッキンを環囲するように挟装された隙間防止用パッキンとを備えるものである。
【００１２】
好適には、請求項２に記載したように、前記止水用パッキン及び前記隙間防止用パッキンによって、前記ハンドグリップの前記着座面の略全体がシールされる構成と知ることができる。
【００１３】
そして、前記止水用パッキンは、好適には、請求項３に記載したように、前記隙間防止用パッキンよりも厚肉に形成されていることが望ましく、また、好適には、請求項４に記載したように、前記隙間防止用パッキンよりも面積が小さく形成されていることが望ましい。
【００１４】
他方、前記隙間防止用パッキンは、好適には、請求項５に記載したように、その硬度が前記止水用パッキンの硬度より低くしてもよい。
【発明の効果】
【００１５】
本発明に係るハンドグリップ取付構造によれば、取付面が広くても、取付孔周りを確実に止水するとともに、浴槽との間に隙間を生じず見栄え良くハンドグリップを取り付けることができる。
【発明を実施するための最良の形態】
【００１６】
本発明に係るハンドグリップ取付構造の実施の形態について、添付図面を参照して説明する。図１は、本発明に係る浴槽用ハンドグリップ９を備える浴槽１の概要を示す斜視図である。
【００１７】
浴槽１は、入浴者が全身浴を享受するときに腰を下ろせる底部２の四周から側面４が上方に立ち上げられ、その上端は外方に拡開してリム３が形成される。そして、浴槽１の長手方向の一端に、底部２より略１７０〜１８０ｍｍ高く、入浴者が半身浴を享受するときに腰掛けることができる半身浴ステップ５が設けられる。この半身浴ステップ５は、全身浴時の足置きとしても利用される。
【００１８】
また、浴槽１には、よりリラックスした入浴を楽しめるように、入浴者が肘を置くことのできるアームレストが設けられている。半身浴ステップ５側の両側面４，４には、浴槽１天端のリム３から一段低いところに段差状の平坦面が設けられ、半身浴ステップ５に腰掛ける半身浴時に入浴者が肘を置くことができる半身浴アームレスト６が形成される。
【００１９】
一方、半身浴ステップ５と反対側端部の両側面４，４には、リム３と底部２との高さ方向中間に段差状の平坦面が設けられ、底部２に腰を下ろす全身浴時に入浴者が肘を置くことができる全身浴アームレスト７が形成される。
【００２０】
半身浴アームレスト６は、全身浴アームレスト７より、半身浴ステップ５と底部２との高さの差だけ高い位置に設けられ、両者は、直線状の接続部８を介して接続されている。これにより、入浴者は、各自の体格や好みの姿勢に合わせて、所望の位置に肘を置くことができ、安定した姿勢で入浴することが可能となる。
【００２１】
さらに、入浴者が浴槽１への出入り時に転倒することを防止する等のために、入浴者が容易に把持することができるハンドグリップ９が設けられる。本発明を構成するこのハンドグリップ９について、図２を参照して説明する。
【００２２】
ハンドグリップ９は、図２に示すように、中央において入浴者が把持可能な形状に成形された把持部９ａと、この把持部９ａの端部から延出して、浴槽１の全身浴アームレスト７側へ取り付けられる下側取付部９ｂと，同じく半身浴アームレスト６側に取付られる上側取付部９ｃとにより構成され、全体として弓状に形成される。
【００２３】
ハンドグリップ９の下側取付部９ｂ及び上側取付部９ｃは、それぞれ直線状の接続部８の表面に対し一定の角度を持って立ち上がるような位置関係に固定される。そして、中間の把持部９ａは略直線状に形成されており、ハンドグリップ９は、全体として、上下対称になっている。したがって、上下を逆転させることにより、１種類のハンドグリップ９を、浴槽１の左右いずれの接続部８にも取り付けることができる。
【００２４】
入浴者が全身浴に際し、底部２に腰を落としている際に、全身浴アームレスト７に肘を置けば、手先はハンドグリップ９の下側取付部９ｂ近傍に位置することになり、自然にハンドグリップ９を握ることができる。そして、立ち上がった後は、ハンドグリップ９を握った手を把持部９ａに沿って上側取付部側へと滑らせれば、全身浴からの立ち座りが自然にできて安心して入浴することができる。
【００２５】
一方、入浴者が、浴槽１の底部２に着座して全身浴する場合、半身浴ステップ５を足置きとして使用することができる。この際、全身浴アームレスト７に肘を置いてハンドグリップ９を把持することによって、全身浴時の姿勢が安定する。したがって、よりリラックスした入浴感を得ることができる。
【００２６】
また、浴槽１の半身浴ステップ５側に設けた半身浴アームレスト６に肘を置いた姿勢でハンドグリップ９を把持することが可能なことから、半身浴時の入浴者の姿勢が効果的に安定するだけでなく、半身浴からの立ち座りが自然にできて安心して入浴することができる。さらに、浴槽１への出入りに際してもハンドグリップ９を握ることができるので、姿勢が安定し、よりスムーズ且つ安全に浴槽１に出入りすることができる。
【００２７】
また、ハンドグリップ９を握ることにより、姿勢を安定させることができるので、半身浴時における腰の滑り込み等も防止され、安心して入浴することができる。
【００２８】
このように、ハンドグリップ９は、入浴姿勢や入浴者の身長差に対して幅広く対応可能である。
【００２９】
下側取付部９ｂ及び上側取り付け部９ｃの端部が浴槽１の対応する取付部位に当接する面は、それぞれ下側着座面９ｄ、上側着座面９ｅが形成される。これら下側着座面９ｄ、上側着座面９ｅは、平面に形成され、その全面が浴槽１側の取付部位と対向する。
【００３０】
下側取付部９ｂには、下側着座面９ｄ側に開口する嵌合凹部９ｆが凹設される。下側着座面９ｄは、浴槽１の接続部８の表面に対し斜め方向に立ち上がること、及びこの嵌合凹部９ｆが凹設されることを許容するために、取付部が垂直に立ち上がるハンドグリップに比べ面積が広くなっている。
【００３１】
ハンドグリップ９は、図３に示すように、取付金具１０、ナット１１、座金１２、六角穴付きボルト１３、止水用パッキン１４、及び隙間防止用パッキン１５を用いて浴槽１の所定部位に取付固定される。
【００３２】
取付金具１０は、ボルト頭１０ａ、座金部１０ｂ及びボルト軸部１０ｃを備え、ボルト頭１０ａは、下側取付部９ｂの嵌合凹部９ｆに嵌入される。
【００３３】
ボルト軸部１０ｃは、浴槽の取付部位に穿設された取付孔を貫通し、取付金具１０は、浴槽１の外面においてボルト軸部１０ｃに螺合されたナット１１の締付力によって、座金１２を介して浴槽１に固定される。
【００３４】
他方、取付金具１０は、止付具としての六角穴付きボルト１３により、下側取付部９ｂに止付固定されている。ここで、六角穴付きボルト１３は、下側取付部９ｂの側方に形成された挿通孔９ｇを挿通して、取付金具１０のボルト頭１０ａに形成された雌ねじ孔１０ｄにねじ込まれる。
【００３５】
ハンドグリップ９と浴槽１の取付部位との間には、２種類のパッキンが挟装される。すなわち、浴槽１内面と取付金具１０の座金部１０ｂとの間に挟装される止水用パッキン１４と、浴槽１内面と下側着座面９ｄとの間に挟装される隙間防止用パッキン１５とである。
【００３６】
止水用パッキン１４は、内部にボルト軸部１０ｃが貫通する貫通孔１４ａが形成されるとともに、外径がボルト頭１０ａより大きいリング状に形成される。この止水用パッキン１４により、浴槽１内の水が取付孔１６から外部へ漏出することが防止される。
【００３７】
隙間防止用パッキン１５は、内部に止水用パッキン１４が配置されるための開ロ１５ａが形成されるとともに、下側着座面９ｄの外周と略同一の外周を有し、止水用パッキン１４を環囲するように配置される。この隙間防止用パッキン１５により、下側着座面９ｄと浴槽１の取付部位との隙間が封止される。
【００３８】
したがって、止水用パッキン１４は、隙間防止用パッキン１５よりも面積が小さく形成されている一方、止水用パッキン１４及び隙間防止用パッキン１５によって、ハンドグリップ９の下側着座面９ｄの略全体がシールされる。
【００３９】
これら止水用パッキン１４及び隙間防止用パッキン１５は、共にエチレン−プロピレン−ジエンゴム（ＥＰＤＭ）より成形されるものの、その硬度は、隙間防止用パッキン１５の方が、止水用パッキン１４のそれより低く形成されている。
【００４０】
この比較的硬い止水用パッキンにより、浴槽１内の水の取付孔１６から外部への漏出が確実に防止される。他方、隙間防止用パッキン１５としてあまり硬い材質を採用すると、取り外したり、再度取り付けたりするときに支障を来すので、隙間防止用パッキン１５として、比較的柔らかい材質のものが採用されている。
【００４１】
また、図４に示すように、止水用パッキン１４の方が隙間防止用パッキン１５よりも厚肉に形成され、ハンドグリップ９が浴槽１に取り付けられる前は、止水用パッキン１４の底面の方が、隙間防止用パッキン１５の底面よりも低くなるように配置されている。
【００４２】
本実施の形態に係るハンドグリップの取付構造は上記のように構成されており、以下その取付手順について説明する。
【００４３】
まず、図５に示すように、両面粘着テープを用いて、止水用パッキン１４を取付金具１０の座金部１０ｂに、隙間防止用パッキン１５を下側着座面９ｄに、それぞれ貼着する。
【００４４】
次に、取付金具１０のボルト頭１０ａを、下側取付部９ｂの嵌合凹部９ｆに嵌合させた後、六角穴付きボルト１３を、下側取付部９ｂの側方に形成された挿通孔９ｇに挿通して、取付金具１０のボルト頭１０ａに形成された雌ねじ孔１０ｄにねじ込んで、取付金具１０を固定する。
【００４５】
これにより、ハンドグリップ９と取付金具１０，止水用パッキン１４及び隙間防止用パッキン１５が一体にセットされる。そして、図６に示すように、取付金具１０のボルト軸部１０ｃを浴槽１の取付孔１６に挿通して、このセットを所定の位置に配置する。
【００４６】
続いて、浴槽１の外面側からボルト軸部１０ｃに、座金１２を外嵌させるとともに、ナット１１を螺合させる。この際、ナット１１はトルク管理されてボルト軸部１０ｃにねじ込まれるので、止水用パッキン１４を所望の圧縮率で押圧することができる。これにより、浴槽１内の水が取付孔１６から外部へ漏出することが防止される。
【００４７】
止水用パッキン１４がある程度圧縮されて、止水用パッキン１４の底面と隙間防止用パッキン１５の底面とが同じ高さになると、それ以降は、隙間防止用パッキン１５も同時に押圧されて圧縮する。これにより、下側着座面９ｄと浴槽１の取付部位との隙間が封止される。
【００４８】
なお、これまで下側取付面９ｂについて説明したが、これらのことは、上側取付面９ｃについても同様である。
【００４９】
上述したように、本実施形態に係るハンドグリップの取付構造によれば、一つの取付金具で二つのパッキンを締め付けるので、構造がシンプルであるとともに、二つのボルトを螺合させる手間がかからないので、施工時間も短縮することが可能となる。
【００５０】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００５１】
例えば、本実施形態では、隙間防止用パッキン１５の材質をＥＰＤＭとしたが、の材質はこれに限らず、止水用パッキン１４より硬度の低いものであれば、例えば、スポンジ状の材質を採用することも可能である。
【００５２】
また、複数の厚さの隙間防止用パッキン１５を用意して、着座面と浴槽の取付部位との隙間に応じて使い分けるようにしてもよい。
【図面の簡単な説明】
【００５３】
【図１】本発明に係るハンドグリップ取付構造を備えるハンドグリップ及び浴槽の概要を示す斜視図。
【図２】図１に示されたハンドグリップの全体を示す図。
【図３】図２におけるＡ−Ａ断面図。
【図４】本実施形態に係るハンドグリップ取付構造のナット締付前におけるパッキンの状態を示す断面図。
【図５】本実施形態に係るハンドグリップの組立前の状態を示す分解透視図。
【図６】本実施形態に係るハンドグリップを浴槽に当接させた状態を示す透視図。
【図７】本実施形態に係るハンドグリップのナット螺合前の状態を示す透視図。
【符号の説明】
【００５４】
１  浴槽
２  底部
３  リム
４  側面
５  半身浴ステップ
６  半身浴アームレスト
７  全身浴アームレスト
８  接続部
９  ハンドグリップ
９ａ  把持部
９ｂ  下側取付部
９ｃ  上側取付部
９ｄ  下側着座面
９ｅ  上側着座面
９ｆ  嵌合凹部
９ｇ  挿通孔
１０  取付金具
１０ａ  ボルト頭
１０ｂ  座金部
１０ｃ  ボルト軸部
１０ｄ  雌ねじ孔
１１  ナット
１２  座金
１３  六角穴付きボルト
１４  止水用パッキン
１４ａ  貫通孔
１５  隙間防止用パッキン
１５ａ  開口
１６  取付孔
【図１】
2009061171.tif 000003
【図２】
2009061171.tif 000004
【図３】
2009061171.tif 000005
【図４】
2009061171.tif 000006
【図５】
2009061171.tif 000007
【図６】
2009061171.tif 000008
【図７】
2009061171.tif 000009